(57)【特許請求の範囲】
【請求項１】
フランジの孔の１つを嵌合させる一方の支柱と、
前記フランジの他の孔を嵌合させる他方の支柱と、
前記一方の支柱を立設するプレートとを備え、
前記一方の支柱と前記他方の支柱とを並設させるとともに、支柱間のピッチを可変とし、
前記プレートを第１のプレートとして、当該プレートの一方の支柱の基部に切欠きを形成し、前記他方の支柱を第２のプレートに立設するとともに、当該第２のプレートの一端に開口するスリットを形成し、当該スリットを前記切欠きに嵌合させ、かつ前記第２のプレートを前記第１のプレートの上面に重ね合わせて、前記両プレートを互いに係合させたたことを特徴とするフランジ収納治具。
【請求項２】
前記切欠きを２面取りによって形成したことを特徴とする請求項１に記載のフランジ収納治具。
【請求項３】
前記第１のプレートに長孔を形成するとともに、前記第２のプレートの裏面に突起を形成し、当該突起を前記第１のプレートの長孔に挿嵌させることによって、前記第１のプレートに対して前記第２のプレートを位置決めしたことを特徴とする請求項１及び請求項２のいずれかに記載のフランジ収納治具。
【発明の詳細な説明】
【０００１】
【発明の属する技術分野】
本発明は、フランジ収納治具に関するものであり、詳しくは、フランジの孔を利用してフランジを収納する治具に関するものである。
【０００２】
【従来の技術】
化学工場では、配管の腐食や劣化による配管部材の更新作業が日常茶飯事行われている。したがって、それぞれの製造現場では、必要な配管材やフランジやジョイント等の部品の適当数を確保している場合が多い。特にフランジ等の部材は使用圧力、溶接の方法などによって分類整理されているが、その整理方法は、単に類別に積み上げたり、閉止フランジのボルト孔や溶接フランジの差込み孔に紐や針金を通して縛っているというものである。
【０００３】
【発明が解決しようとする課題】
しかしながら、フランジを単に積み上げている場合には、上部のフランジが崩落する虞があり、また孔に紐等を通して纏めている場合には、フランジを纏める際、またはフランジを取り出す際に、その都度紐を解き、その後紐等を再び結ばなくてはならず、その作業が煩雑であった。
【０００４】
さらに、いずれの場合にも、径等が異なるフランジが一緒に収納されている場合には、取り出しに際して、必要とするフランジを選択して取り出さなくてはならず、その選別作業も煩雑であった。
【０００５】
本発明は、上記事情に鑑みてなされたもので、その目的は、種類別に収納保管が行え、かつ容易に収納および取り出しができ、しかも異なるフランジに対応できるフランジ収納治具を提供することにある。
【０００６】
【課題を解決するための手段】
本発明に係るフランジ収納治具は、フランジの孔の１つを嵌合させる一方の支柱と、前記フランジの他の孔を嵌合させる他方の支柱と、前記一方の支柱を立設するプレートとを備え、前記一方の支柱と前記他方の支柱とを並設させるとともに、支柱間のピッチを可変としたことを特徴としている。
【０００７】
上記フランジ収納治具では、フランジの複数の孔の１つを一方の支柱に挿嵌させ、他の孔を他方の支柱に挿嵌させることによってフランジを収納させる。この際、支柱間のピッチを適宜に変更できるので、各種フランジに対応できる。フランジを収納する場合には、支柱にフランジの孔を通すだけでよく、また取り出しもそのまま支柱から引き上げればよい。また、それらの支柱に挿嵌収納されるフランジは孔間距離が同一のもの、即ち同一種類のフランジが収納される。
【０００９】
また、上記収納治具では、前記プレートを第１のプレートとして、当該プレートの一方の支柱の基部に切欠きを形成し、前記他方の支柱を第２のプレートに立設するとともに、当該第２のプレートの一端に開口するスリットを形成し、当該スリットを前記切欠きに嵌合させ、かつ前記第２のプレートを前記第１のプレートの上面に重ね合わせて、前記両プレートを互いに係合させる。なお、この場合には、前記切欠きを２面取りに形成することもできる。
【００１０】
また、上記収納治具の別の態様では、前記第１のプレートに長孔を形成するとともに、前記第２のプレートの裏面に突起を形成し、当該突起を前記第１のプレートの長孔に挿嵌させることによって、前記第１のプレートに対して前記第２のプレートを位置決めする。
【００１３】
支柱の長さは、フランジを重ねて収納した状態でも持ち運びや移動が容易に行えるようなものとする。フランジの径にもよるが、通常、フランジを１０枚程度収納できる長さが好ましい。
【００１４】
また、プレートの大きさは、２本の支柱を通してフランジが収納され、フランジの重量で安定するため、架台としての機能を持たせる程大きくする必要はなく、通常、５〜１５ｃｍ程度の幅があれば十分であり、持ち運びに都合がよく、フランジが収納されていないときに転倒しない程度の面積と重量をもつ大きさであればよい。
【００１５】
フランジの大きさがあまり違わない場合、収納場所から取り出すときに、間違って取り出す虞がある。そこで、フランジ収納治具を色分けして区別することが好ましい。
【００１６】
フランジ収納治具の材質、特に支柱の材質は、通常、金属製でよいが、グラスライニング（ＧＬ）された閉止フランジを収納するような場合、取り扱いを間違えれば、治具の支柱先端にＧＬ面が接触して、ＧＬ面に傷がついたり、剥離したりするなどの問題が発生する虞があるので、金属製の場合には樹脂コーティングするか、または樹脂製または木製にするのがより好ましい。
【００１７】
【発明の実施の形態】
以下に、本発明を図面に示した実施形態に基づいて説明する。
〔第１実施形態〕
図１および図２は、本発明に係る第１実施形態のフランジ収納治具を示したものである。
【００１８】
このフランジ収納治具１０は、図１に示したように、支柱１１，１２をそれぞれ立設した矩形のプレート１３，１４によって構成されている。支柱１１はプレート１３の一端部の幅方向中央に配設されている。また、プレート１３には、幅方向中央に長手方向に延びる長孔１５が形成されている。一方、支柱１２はプレート１４の他端部の幅方向中央に配設されている。
【００１９】
そして、このフランジ収納治具１０では、図２に示したように、支柱１２に長孔１５を嵌合させてプレート１３がプレート１４に重ね合わされる。
【００２０】
このようにして組み付けられたフランジ収納治具１０では、図２に示したように、プレート１４をプレート１３に対してその長手方向に相対的に移動することによって、支柱１１，１２間のピッチＰを差し込みフランジＡの孔ａ，ａ間の距離Ｌに対応させて適宜変更させることができる。そして、フランジＡは、その孔ａ，ａを支柱１１，１２に嵌合させることによってフランジ収納治具１０に収納支持される。
【００２１】
なお、このフランジ収納治具１０には、異なるタイプの閉止フランジＢも収納することができる。この差し込みフランジＢに形成された孔ｂ，ｂ間の距離Ｌ’がフランジＡの場合と異なるときは、これらは、別種類のフランジとして別個のフランジ収納治具１０に収納される。
【００２２】
以上のフランジ収納治具１０において、支柱１１，１２の断面直径は、フランジＡの孔ａ，ａの直径と必ずしも一致させる必要はないが、支柱１１，１２の断面直径をフランジＡの孔ａ，ａの直径とを一致させることで、フランジＡの支持が安定したものになる。
【００２３】
具体的な実施例では、支柱１１，１２やプレート１３，１４を鉄材等で形成し、耐錆用の塗装を施した。また、支柱１１，１２は、直径１２ｍｍで長さ２００ｍｍ程度のサイズとし、プレート１３，１４は、縦×横×厚さが１５０ｍｍ×７０ｍｍ×３ｍｍ程度のサイズとした。また、長孔１５は、５０ｍｍ程度の長さを有するものとした。このような実施例の場合、ＪＩＳ  １０Ｋｇ／ｃｍ2の２５Ａ〜７５Ａフランジを収納することができる。
〔第２実施形態〕
図３および図４は、本発明に係る第２実施形態のフランジ収納治具を示したものである。
【００２４】
このフランジ収納治具２０も、図３に示したように、支柱２１，２２をそれぞれ立設した矩形のプレート２３，２４によって構成されている。支柱２１はプレート２３の一端部の幅方向中央に配設されており、この支柱２１の基部には環状の切欠き２５が形成されている。また、プレート２３には、幅方向中央に長手方向に延びる長孔２６が形成されている。一方、支柱２２はプレート２４の他端部に植設され、その下端は下面から下方に突出されて突起２７を構成している。また、このプレート２４の一端部には端部に開口するスリット２８が形成されている。
【００２５】
そして、このフランジ収納治具２０では、図４に示したように、支柱２２の突起２７を長孔２６に落とし込んでプレート２４をプレート２３に重ね合わせ、プレート２４を適宜移動させてスリット２８を支柱２１の切欠き２５に嵌合させる。
【００２６】
このようにして組み付けられたフランジ収納治具２０では、図４に示したように、プレート２４をプレート２３に対してその長手方向に移動することによって、支柱２１，２２間のピッチＰをフランジＡの孔ａ，ａ間の距離Ｌに対応させて適宜変更させることができる。
【００２７】
このフランジ収納治具２０では、突起２７が長孔２６によってガイドされ、両プレート２３，２４の幅方向の位置決めが図られ、スリット２８が切欠き２５に係合することによって、プレート２４がプレート２３から浮き上がるのが防止される。
【００２８】
なお、上記実施形態において、図５に示したように、支柱２１の基部に２面取りによって切欠き２９を形成すれば、プレート２４に関して、プレート２３から浮き上がるのが防止されるばかりでなく、幅方向の位置決めも図られる。したがって、この場合には、突起２７および長孔２６はなくてもよい。
〔第３実施形態〕
図６および図７は、本発明に係る第３実施形態のフランジ収納治具を示したものである。
【００２９】
このフランジ収納治具３０は、図６に示したように、支柱３１，３２が立設される矩形のプレート３３，３４を備えている。一方のプレート３３は、断面コ字形の部分３３ａと平板の部分３３ｂとを重ね合わせて一体化しており、それによって両端に貫通する断面矩形のガイド孔３５が形成されている。そして、支柱３１はプレート３３の一端部の幅方向中央に立設されており、プレート３３の他端部上面には、幅方向中央に長手方向に延びる長孔３６が形成されている。他方のプレート３４は、プレート３３のガイド孔３５の断面形状とほぼ同じ形状の断面をもって形成され、その幅方向中央に雌ねじ３７を有している。一方、支柱３２は、下端に雄ねじ３８を有している。そして、プレート３４をプレート３３の長孔３６に挿嵌させ、プレート３４の雌ねじ３７に、プレート３３の長孔３６を介して挿通させた支柱３２下端の雄ねじ３８を螺合させてフランジ収納治具３０が組み付けられる。
【００３０】
このようにして組み付けられたフランジ収納治具３０では、図７に示したように、支柱３２をプレート３３に対してその長手方向に移動することによって、支柱３１，３２間のピッチＰをフランジＡの孔ａ，ａ間の距離Ｌに対応させて適宜に変更させることができる。また、このフランジ収納治具３０では、ガイド孔３５によって、プレート３４の幅方向および厚み方向に関する移動が防止される。
【００３１】
なお、上記実施形態は、本発明のフランジ収納治具を例示したに過ぎず、本発明は、特許請求の範囲で各種態様を取り得ることは勿論である。
【００３２】
【発明の効果】
以上説明したように、この発明のフランジ収納治具によれば、支柱間のピッチを適宜に変更できるので、各種フランジに対応でき、したがって、経済的である。また、フランジを収納する場合には、支柱にフランジの孔を通すだけでよく、また取り出しもそのまま支柱から引き上げればよく、作業性が極めてよい。また、支柱に挿嵌収納されるフランジは孔間距離が同一のもの、即ち同一種類のフランジが収納されるので、部品管理が確実に行える。さらに、フランジ収納治具単位で複数フランジの運搬が可能になり、工場設備等において、フランジの取り扱いの作業性、効率、安全性を高めることができる。
【図面の簡単な説明】
【図１】本発明に係るフランジ収納治具の一実施形態を示した分解斜視図である。
【図２】図１のフランジ収納治具を組み付けた状態を示した斜視図である。
【図３】本発明に係るフランジ収納治具の他の実施形態を示した分解斜視図である。
【図４】図３のフランジ収納治具を組み付けた状態を示した斜視図である。
【図５】図３のフランジ収納治具の変形例を示した要部斜視図である。
【図６】本発明に係るフランジ収納治具のさらに他の実施形態を示した分解斜視図である。
【図７】図６のフランジ収納治具を組み付けた状態を示した斜視図である。
【符号の説明】
１０      フランジ収納治具
１１,１２      支柱
１３,１４      プレート
１５      長孔
２０      フランジ収納治具
２１,２２      支柱
２３,２４      プレート
２５      切欠き
２６      長孔
２７      突起
２８      スリット
２９      切欠き
３０      フランジ収納治具
３１,３２      支柱
３３,３４      プレート
３５      ガイド孔
３６      長孔
Ａ,Ｂ      フランジ
ａ,ｂ      孔
【図１】
0003996801.tif 000002
【図２】
0003996801.tif 000003
【図３】
0003996801.tif 000004
【図４】
0003996801.tif 000005
【図５】
0003996801.tif 000006
【図６】
0003996801.tif 000007
【図７】
0003996801.tif 000008